(57)【要約】【課題】印刷配線板の配置効率と冷却効率が優れた誘導加熱調理器を提供すること。【解決手段】本体１の上面に設けられ被加熱容器２を裁置するトッププレート３と、トッププレート３の下方に設けた加熱コイル４と、加熱コイル４に高周波電流を供給する印刷配線板５と、風をトッププレート３と平行な方向に送風して印刷配線板５を冷却するファン７とを備え、印刷配線板５を回転軸が冷却風の流れる方向と略平行となるように回転させてトッププレート３に対して傾けてなる誘導加熱調理器とした。【選択図】図１
2011165537.tif 000002
【特許請求の範囲】
【請求項１】
本体の上面に設けられ被加熱容器を裁置するトッププレートと、前記トッププレートの下方に設けた加熱コイルと、前記加熱コイルに高周波電流を供給する印刷配線板と、風を前記トッププレートと平行な方向に送風して前記印刷配線板を冷却するファンとを備え、前記印刷配線板を回転軸が冷却風の流れる方向と略平行となるように回転させて前記トッププレートに対して傾けた誘導加熱調理器。
【請求項２】
冷却風の流れる方向から見て、印刷配線板の横幅を本体の横幅より大きくした請求項１に記載の誘導加熱調理器。
【請求項３】
断面が略長方形の風路が本体内に形成され、前記風路内に印刷配線板を設ける請求項１に記載の誘導加熱調理器。
【請求項４】
冷却風の流れる方向から見て、印刷配線板の横幅を風路の横幅より大きくした請求項３に記載の誘導加熱調理器。
【請求項５】
本体前面に開口部及び前記開口部を開閉する扉を有する加熱庫を備え、前記加熱庫の横に風路を形成し、前記風路の風上に冷却するファンを配置してなる請求項１または３または４のいずれか１項に記載の誘導加熱調理器。
【請求項６】
ファンは、風上と風下に開口部を有するケース内に配され、羽根と前記羽根を回転するモータと前記モータを支持し風下の前記開口部に設けられる取り付け板と、前記ケースと前記取り付け板により前記取り付け板の両側に形成された吹き出し口とを備え、モータが回転した時に羽根が最初に横切る前記吹き出し口の部分後方近傍に印刷配線板の一部を配してなる請求項５に記載の誘導加熱調理器。
【請求項７】
モータが回転した時に羽根が最初に横切る前記吹き出し口の部分後方近傍に、印刷配線板の横幅方向外側に実装された発熱体または前記発熱体を冷却する熱伝導体を配した請求項６に記載の誘導加熱調理器。
【請求項８】
印刷配線板を、発熱体が実装されている面と前記発熱体が実装されている側の距離を対角の距離より長くなるよう配してなる請求項６または７に記載の誘導加熱調理器。
【請求項９】
印刷配線板の一部に代え、前記印刷配線板の横幅方向内側に実装された発熱体または前記発熱体を冷却する熱伝導体を、モータが回転した時に羽根が最初に横切る前記吹き出し口の部分後方近傍に配してなる請求項６に記載の誘導加熱調理器。
【発明の詳細な説明】
【技術分野】
【０００１】
本発明は、誘導加熱調理器における印刷配線板の配置効率と冷却効率の向上に関するものである。
【背景技術】
【０００２】
従来、この種の誘導加熱調理器は、印刷配線板をトッププレートに対して略平行に配置している。また、ファンが、風上と風下に開口部を有するケース内に配され、ファン吸気口から空気を吸気して冷却風の下流側に印刷配線板が配置されているものがある（例えば、特許文献１参照）。
【先行技術文献】
【特許文献】
【０００３】
【特許文献１】特開２００９−２７６０１４号公報
【発明の概要】
【発明が解決しようとする課題】
【０００４】
しかしながら、前記従来の構成では、印刷配線板の面積と本体内における占有面積は略等しく、印刷配線板の面積によって他部品を配置する領域が限定されてしまうことと、限られた本体内の領域内で前記印刷配線板の面積を拡大するのが困難であるという課題を有していた。
【０００５】
また、ファンから送風される冷却風は排気経路で生じる抵抗によって送風が阻害されることにより速度分布にバラツキが生じ、前記印刷配線板の冷却効率を向上させ難いという課題も有していた。
【０００６】
本発明は、前記従来の課題を解決するもので、前記印刷配線板の配置方法を工夫することにより配置効率と冷却効率を向上した誘導加熱調理器を提供することを目的とする。
【課題を解決するための手段】
【０００７】
前記従来の課題を解決する為に、本発明の誘導加熱調理器は、風をトッププレートと平行な方向に送風して印刷配線板を冷却するファンを備え、前記印刷配線板を回転軸が冷却風の流れる方向と略平行となるように回転させて前記トッププレートに対して傾けたものである。
【０００８】
これによって、本体内における前記印刷配線板は、冷却風と略平行な回転軸でトッププレートに対して傾いているので、本体内における印刷配線板の占有面積は印刷配線板の面積より小さくすることになるので、前記印刷配線板の配置効率を向上することができる。
【発明の効果】
【０００９】
本発明の誘導加熱調理器は、配置効率と冷却効率を向上することができる。
【図面の簡単な説明】
【００１０】
【図１】本発明の実施の形態１における誘導加熱調理器の詳細図
【図２】印刷配線板をトッププレートに対して略平行に配置してなる誘導加熱調理器を冷却風の流れる方向から見た断面図
【図３】本発明の実施の形態１における誘導加熱調理器の印刷配線板の配置構成を冷却風の流れる方向から見た断面図
【図４】本発明の実施の形態２における誘導加熱調理器の印刷配線板の配置構成を冷却風の流れる方向から見た断面図
【図５】断面が略長方形の風路内に印刷配線板をトッププレートに対して略平行に配置してなる誘導加熱調理器を冷却風の流れる方向から見た断面図
【図６】本発明の実施の形態３における誘導加熱調理器の印刷配線板の配置構成を冷却風の流れる方向から見た断面図
【図７】本発明の実施の形態４における誘導加熱調理器の印刷配線板の配置構成を冷却風の流れる方向から見た断面図
【図８】加熱庫の横に形成された風路内に印刷配線板をトッププレートに対して略平行に配置してなる誘導加熱調理器の詳細図
【図９】加熱庫の横に形成された風路内に印刷配線板をトッププレートに対して略平行に配置してなる誘導加熱調理器を冷却風の流れる方向から見た断面図
【図１０】本発明の実施の形態５における誘導加熱調理器の印刷配線板の配置構成を冷却風の流れる方向から見た断面図
【図１１】本発明の実施の形態６における誘導加熱調理器の詳細図
【図１２】本発明の実施の形態６における誘導加熱調理器の印刷配線板の配置構成を冷却風の流れる方向の風下から見た断面図
【図１３】本発明の実施の形態７における誘導加熱調理器の印刷配線板の配置構成を冷却風の流れる方向の風下から見た断面図
【図１４】本発明の実施の形態８における誘導加熱調理器の印刷配線板の配置構成を冷却風の流れる方向の風下から見た断面図
【図１５】本発明の実施の形態９における誘導加熱調理器の印刷配線板の配置構成を冷却風の流れる方向の風下から見た断面図
【発明を実施するための形態】
【００１１】
第１の発明は、本体の上面に設けられ被加熱容器を裁置するトッププレートと、前記トッププレートの下方に設けた加熱コイルと、前記加熱コイルに高周波電流を供給する印刷配線板と、風を前記トッププレートと平行な方向に送風して前記印刷配線板を冷却するファンとを備え、前記印刷配線板を回転軸が冷却風の流れる方向と略平行となるように回転させて前記トッププレートに対して傾けることにより、本体内における前記印刷配線板の占有面積を前記印刷配線板の面積より小さくすることになり、前記印刷配線板の配置効率を向上することができる。
【００１２】
第２の発明は、特に、第１の発明において、冷却風の流れる方向から見て印刷配線板の横幅を本体の横幅より大きくすることにより、印刷配線板の面積を拡大することになり、前記印刷配線板の配置効率を向上することができる。
【００１３】
第３の発明は、特に、第１の発明において、断面が略長方形の風路を本体内に形成し、前記風路内に印刷配線板を設けることにより、前記印刷配線板の周囲に流れる冷却風の流れを整流化することになり、冷却効率を向上することが出来る。
【００１４】
第４の発明は、特に、第３の発明において冷却風の流れる方向から見て、印刷配線板の横幅を風路の横幅より大きくすることにより、印刷配線板の面積を拡大することが出来る。
【００１５】
第５の発明は、第１または第３または第４のいずれか１つの発明において、本体前面に開口部及び前記開口部を開閉する扉を有する加熱庫を備え、前記加熱庫の横に風路を形成し、前記風路の風上に冷却するファンを配置することにより、本体内の前記加熱庫により占有されていない領域における印刷配線板の占有面積を前記印刷配線板の面積より小さくすることが出来る。
【００１６】
第６の発明は、特に、第５の発明において、ファンは、風上と風下に開口部を有するケース内に配され、羽根と前記羽根を回転するモータと前記モータを支持し風下の前記開口部に設けられる取り付け板と、前記ケースと前記取り付け板により前記取り付け板の両側に形成された吹き出し口とを備え、モータが回転した時に羽根が最初に横切る前記吹き出し口の部分後方近傍に印刷配線板の一部を配することにより、前記取り付け板によって吹き出せない冷却風が前記羽根によってモータが回転した時に羽根が最初に横切る前記吹き出し口へと押し出されることによって部分的に流速が早くなる前記吹き出し口の部分後方近傍に前記印刷配線板を近づけることになり、前記印刷配線板の冷却効率を向上することが出来る。
【００１７】
第７の発明は、特に、第６の発明において、モータが回転した時に羽根が最初に横切る前記吹き出し口の部分後方近傍に、印刷配線板の横幅方向外側に実装された発熱体または前記発熱体を冷却する熱伝導体を配することにより、前記取り付け板によって吹き出せない冷却風が前記羽根によってモータが回転した時に羽根が最初に横切る前記吹き出し口へと押し出されることによって部分的に流速が早くなる前記吹き出し口の部分後方近傍に前記発熱体または前記熱伝導体を近づけることになり、前記発熱体または前記熱伝導体の冷却効率を向上することが出来る。
【００１８】
第８の発明は、特に、第７の発明において、前記印刷配線板を、前記発熱体が実装されている面と前記発熱体が実装されている側の距離を対角の距離より長くなるよう配することにより、冷却風の多くを前記印刷配線板の前記発熱体が実装されている面上に流すことになり、冷却効率を向上することが出来る。
【００１９】
第９の発明は、特に、第６の発明において、前記印刷配線板の一部に代え、前記印刷配線板の横幅方向内側に実装された発熱体または前記発熱体を冷却する熱伝導体を、モータが回転した時に羽根が最初に横切る前記吹き出し口の部分後方近傍に配することにより、前記取り付け板によって吹き出せない冷却風が前記羽根によってモータが回転した時に羽根が最初に横切る前記吹き出し口へと押し出されることによって部分的に流速が早くなる前記吹き出し口の部分後方近傍に前記発熱体または前記熱伝導体を近づけることになり、前記発熱体または前記熱伝導体の冷却効率を向上することが出来る。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における誘導加熱調理器の詳細図、図２は印刷配線板をトッププレートに対して略平行に配置してなる誘導加熱調理器を冷却風の流れる方向から見た断面図、図３は本発明の第１の実施の形態における誘導加熱調理器の印刷配線板の配置構成を冷却風の流れる方向から見た断面図を示すものである。
【００２２】
図１、図２、図３において、本体１の上面に設けられ被加熱容器２を裁置するトッププレート３と、トッププレート３の下方に設けた加熱コイル４と、加熱コイル４に高周波電流を供給する印刷配線板５と、冷却風６をトッププレート３と平行な方向に送風して印刷配線板５を冷却するファン７とを備え、印刷配線板５をコイル４の下方に配置して構成している。
【００２３】
以上のように構成された誘導加熱調理器について、印刷配線板５を回転軸が冷却風６の流れる方向と略平行となるように回転させてトッププレート３に対して傾けることによる動作、作用を図２と図３を用いて説明する。
【００２４】
図２において、印刷配線板５はトッププレート３に対して略平行に配置されている。
【００２５】
一方、図３において、印刷配線板５は回転軸が冷却風の流れる方向と略平行となるように回転させてトッププレート３に対して傾けて配置されている。
【００２６】
図２と図３において、冷却風の流れる方向から見て印刷配線板５の奥行きと幅Ｗｉがそれぞれ等しく、本体１の底面への投影面における幅をそれぞれＷａ、Ｗｂ、本体内における占有面積をＳａ、Ｓｂとした時、Ｗｂ＜ＷａからＳｂ＜Ｓａとなる。
【００２７】
それにより、図３における他部品配置可能領域６を確保することが出来る。
【００２８】
よって、印刷配線板５を回転軸が冷却風の流れる方向と略平行となるように回転させてトッププレート３に対して傾けることにより、本体内における印刷配線板５の占有面積を印刷配線板５の面積より小さくすることになり、印刷配線板５の配置効率を向上させることができる。
【００２９】
（実施の形態２）
図４は、本発明の第２の実施の形態における誘導加熱調理器の印刷配線板の配置構成を冷却風の流れる方向から見た断面図を示すものである。基本的な構成は実施の形態１と同様である為、構成の違うところのみ説明する。
【００３０】
図４において、冷却風の流れる方向から見て印刷配線板５の横幅Ｗｃを本体１の横幅Ｗｄより大きくした構成としている。
【００３１】
以上のように構成された誘導加熱調理器について、以下その動作、作用を説明する。
【００３２】
図４において、印刷配線板５は回転軸が冷却風の流れる方向と略平行となるように回転させてトッププレート３に対して傾けることに加え、冷却風の流れる方向から見て印刷配線板５の横幅Ｗｃを本体の横幅Ｗｄより大きくしている。
【００３３】
それにより、冷却風の流れる方向から見た本体１の横幅Ｗｄを変えることなく、印刷配線板５の横幅Ｗｃを大きくすることが出来る。
【００３４】
よって、冷却風の流れる方向から見て印刷配線板５の横幅Ｗｃを本体１の横幅Ｗｄより大きくすることにより、印刷配線板５の配置効率を向上させることができる。
【００３５】
（実施の形態３）
図５は、断面が略長方形の風路内に印刷配線板をトッププレートに対して略平行に配置してなる誘導加熱調理器を冷却風の流れる方向から見た断面図、図６は、本発明の第３の実施の形態における誘導加熱調理器の印刷配線板の配置構成を冷却風の流れる方向から見た断面図を示すものである。基本的な構成は実施の形態１と同様である為、構成の違うところのみ説明する。
【００３６】
図６において、断面が略長方形の風路９を本体内に形成し、印刷配線板５は回転軸が冷却風の流れる方向と略平行となるように回転させてトッププレート３に対して傾けて風路９の内側に配置した構成としている。
【００３７】
以上のように構成された誘導加熱調理器について、以下、その動作、作用を説明する。
【００３８】
まず、風路９によって印刷配線板５の周囲に流れる冷却風の流れを整流化することになり、冷却効率を向上させることができる。
【００３９】
更に、図５と図６において、冷却風の流れる方向から見て印刷配線板５の奥行きと幅Ｗｉがそれぞれ等しく、風路９の底面への投影面における幅をそれぞれＷｅ、Ｗｆ、本体内における占有面積をＳｅ、Ｓｆとした時、Ｗｆ＜ＷｅからＳｆ＜Ｓｅとなる。
【００４０】
それにより、図６における他部品配置可能領域８を確保することが出来る。
【００４１】
よって、印刷配線板５を回転軸が冷却風の流れる方向と略平行となるように回転させてトッププレート３に対して傾け風路９の内側に配置することにより、風路９の内側における印刷配線板５の占有面積を印刷配線板５の面積より小さくすることになり、印刷配線板５の冷却効率を向上させた上で配置効率も向上させることができる。
【００４２】
（実施の形態４）
図７は、本発明の第４の実施の形態における誘導加熱調理器の印刷配線板の配置構成を冷却風の流れる方向から見た断面図を示すものである。基本的な構成は実施の形態３と同様である為、構成の違うところのみ説明する。
【００４３】
図７において、印刷配線板５は、冷却風の流れる方向から見て、印刷配線板５の横幅Ｗｇを風路の横幅Ｗｈより大きくして風路９の内側に配置した構成としている。
【００４４】
以上のように構成された誘導加熱調理器について、以下、その動作、作用を説明する。
【００４５】
まず、風路９によって印刷配線板５の周囲に流れる冷却風の流れを整流化することになり、冷却効率を向上させることができる。
【００４６】
更に、図７において、印刷配線板５は回転軸が冷却風の流れる方向と略平行となるように回転させてトッププレート３に対して傾けることに加え、冷却風の流れる方向から見て印刷配線板５の横幅Ｗｇを風路の横幅Ｗｈより大きくしている。
【００４７】
それにより、冷却風の流れる方向から見た風路の横幅Ｗｈを変えることなく、印刷配線板の横幅Ｗｇを大きくすることが出来る。
【００４８】
よって、冷却風の流れる方向から見て印刷配線板５の横幅Ｗｇを風路の横幅Ｗｈより大きくすることにより、冷却効率を向上させた上で、印刷配線板５の配置効率も向上させることができる。
【００４９】
（実施の形態５）
図８は、加熱庫の横に形成された風路内に印刷配線板をトッププレートに対して略平行に配置してなる誘導加熱調理器の詳細図、図９は、加熱庫の横に形成された風路内に印刷配線板をトッププレートに対して略平行に配置してなる誘導加熱調理器を冷却風の流れる方向から見た断面図、図１０は、本発明の第５の実施の形態における誘導加熱調理器の印刷配線板の配置構成を冷却風の流れる方向から見た断面図を示すものである。
【００５０】
基本的な構成は実施の形態１または３または４と同様である為、構成の違うところのみ説明する。
【００５１】
図８、図９において、本体１の前面に開口部及び開口部を開閉する扉１１を有する加熱庫１０を備え、加熱庫１０の横に風路を形成し、風路の風上に冷却するファン７を配置し
た構成としている。
【００５２】
以上のように構成された誘導加熱調理器について、以下、その動作、作用を説明する。
【００５３】
図９において、印刷配線板５はトッププレート３に対して略平行に配置されている。
【００５４】
一方、図１０において、印刷配線板５は回転軸が冷却風の流れる方向と略平行となるように回転させてトッププレート３に対して傾けて配置されている。
【００５５】
図９と図１０において、冷却風の流れる方向から見て印刷配線板の奥行きと幅Ｗｉがそれぞれ等しく、本体底面への投影面における幅をそれぞれＷａ、Ｗｂ、本体内における占有面積をＳａ、Ｓｂとした時、Ｗｂ＜ＷａからＳｂ＜Ｓａとなる。
【００５６】
それにより、図１０における他部品配置領域８を確保することが出来る。
【００５７】
よって、印刷配線板５を回転軸が冷却風の流れる方向と略平行となるように回転させてトッププレート３に対して傾けることにより、加熱庫１０の横に形成された風路における印刷配線板５の占有面積を印刷配線板５の面積より小さくすることになり、印刷配線板の配置効率を向上させることができる。
【００５８】
（実施の形態６）
図１１は、本発明の第６の実施の形態における誘導加熱調理器の詳細図、図１２は、本発明の第６の実施の形態における誘導加熱調理器の印刷配線板の配置構成を冷却風の流れる方向の風下から見た断面図を示すものである。基本的な構成は実施の形態５と同様である為、構成の違うところのみ説明する。
【００５９】
図１１、図１２において、ファン７は、風上と風下に開口部を有するケース１２の内側に配され、羽根１３と羽根１３を回転するモータ１４とモータ１４を支持し風下の開口部に設けられる取り付け板１５と、ケース１２と取り付け板１５により取り付け板１５の両側に形成された吹き出し口とを備え、モータ１４が回転した時に羽根１３が最初に横切る吹き出し口の部分後方近傍に印刷配線板５の一部を配した構成としている。
【００６０】
以上のように構成された誘導加熱調理器について、以下、その動作、作用を説明する。
【００６１】
図１１、図１２において、ファン７から風下に吹き出される冷却風は、取り付け板１５の部分を除きファン７の略軸方向へと流れていくが、取り付け板１５の部分だけは略軸方向に流れることが出来ない為に、取り付け板１５の両側に形成された吹き出し口へと流れようとする。
【００６２】
その際、羽根１３がモータ１４の回転方向１６へ冷却風を導く為に、モータ１４が回転した時に羽根１３が最初に横切る吹き出し口の部分後方近傍となる高風速領域１７では冷却風の流速が吹き出し口の他の部分に対して部分的に大きくなる。
【００６３】
さらに、高風速領域１７に印刷配線板５の一部を配することにより、印刷配線板５に多くの冷却風を当てる事が出来る。
【００６４】
よって、モータ１４が回転した時に羽根１３が最初に横切る吹き出し口の部分後方近傍に印刷配線板５の一部を配することにより、印刷配線板５の冷却効率を向上することが出来る。
【００６５】
（実施の形態７）
図１３は、本発明の第７の実施の形態における誘導加熱調理器の印刷配線板の配置構成を冷却風の流れる方向の風下から見た断面図を示すものである。基本的な構成は実施の形態６と同様である為、構成の違うところのみ説明する。
【００６６】
図１３において、モータ１４が回転した時に羽根１３が最初に横切る前記吹き出し口の部分後方近傍となる高風速領域１７に、印刷配線板５の横幅方向外側に実装された発熱体１８または発熱体１８を冷却する熱伝導体１９を配した構成としている。
【００６７】
以上のように構成された誘導加熱調理器について、以下、その動作、作用を説明する。
【００６８】
図１３において、ファン７から風下に吹き出される冷却風は、取り付け板１５の部分を除きファンの略軸方向へと流れていくが、取り付け板１５の部分だけは略軸方向に流れることが出来ない為に、取り付け板１５の両側に形成された吹き出し口へと流れようとする。その際、羽根１３がモータ１４の回転方向１６へ冷却風を導く為に、モータ１４が回転した時に羽根１３が最初に横切る吹き出し口の部分後方近傍となる高風速領域１７では冷却風の流速が吹き出し口の他の部分に対して部分的に大きくなる。
【００６９】
さらに、高風速領域１７に、印刷配線板５の横幅方向外側に実装された発熱体１８または発熱体１８を冷却する熱伝導体１９を配することにより、発熱体１８と熱伝導体１９に多くの冷却風を当てる事が出来る。
【００７０】
よって、モータ１４が回転した時に羽根１３が最初に横切る前記吹き出し口の部分後方近傍に、印刷配線板５の横幅方向外側に実装された発熱体１８または発熱体１８を冷却する熱伝導体１９を配することにより、発熱体１８または熱伝導体１９の冷却効率を向上することが出来る。
【００７１】
（実施の形態８）
図１４は、本発明の第８の実施の形態における誘導加熱調理器の印刷配線板の配置構成を冷却風の流れる方向の風下から見た断面図を示すものである。基本的な構成は実施の形態７と同様である為、構成の違うところのみ説明する。
【００７２】
図１４において、印刷配線板５を、発熱体１８が実装されている面と発熱体１８が実装されている側の距離Ｘを対角の距離Ｙより長くなるよう配した構成としている。
【００７３】
以上のように構成された誘導加熱調理器について、以下、その動作、作用を説明する。
【００７４】
図１４において、ファンから風下に吹き出される冷却風は、取り付け板１５の部分を除きファンの略軸方向へと流れていくが、取り付け板１５の部分だけは略軸方向に流れることが出来ない為に、取り付け板１５の両側に形成された吹き出し口へと流れようとする。
【００７５】
その際、羽根１３がモータの回転方向１６へ冷却風を導く為に、モータが回転した時に羽根が最初に横切る吹き出し口の部分後方近傍となる高風速領域１７では冷却風の流速が吹き出し口の他の部分に対して部分的に大きくなる。
【００７６】
さらに、発熱体１８が実装されている面と発熱体１８が実装されている側の距離を対角の距離より長くなるように配することにより、発熱体１８が実装されている面に多くの冷却風を当てる事が出来る。
【００７７】
よって、印刷配線板５を、発熱体１８が実装されている面と発熱体１８が実装されてい
る側の距離Ｘを対角の距離Ｙより長くなるよう配することにより、冷却効率を向上させた上で、第７の発明と同様の効果を得ることが出来る。
【００７８】
（実施の形態９）
図１５は、本発明の第９の実施の形態における誘導加熱調理器の印刷配線板の配置構成を冷却風の流れる方向の風下から見た断面図を示すものである。
【００７９】
図１５において、印刷配線板５の横幅方向内側に実装された発熱体１８または発熱体１８を冷却する熱伝導体１９を、モータが回転した時に羽根１３が最初に横切る前記吹き出し口の部分後方近傍に配した構成としている。
【００８０】
以上のように構成された誘導加熱調理器について、以下、その作用を説明する。
【００８１】
図１５において、ファン７から風下に吹き出される冷却風は、取り付け板１５の部分を除きファン７の略軸方向へと流れていくが、取り付け板１５の部分だけは略軸方向に流れることが出来ない為に、取り付け板１５の両側に形成された吹き出し口へと流れようとする。
【００８２】
その際、羽根１３がモータの回転方向１６へ冷却風を導く為に、モータが回転した時に羽根が最初に横切る吹き出し口の部分後方近傍となる高風速領域１７では冷却風の流速が吹き出し口の他の部分に対して部分的に大きくなる。
【００８３】
さらに、印刷配線板５の横幅方向内側に実装された発熱体１８または発熱体１８を冷却する熱伝導体１９を、高風速領域１７に配することにより、発熱体１８または熱伝導体１９に多くの冷却風を当てる事が出来る。
【００８４】
よって、印刷配線板５の横幅方向内側に実装された発熱体１８または発熱体１８を冷却する熱伝導体１９を、モータが回転した時に羽根１３が最初に横切る前記吹き出し口の部分後方近傍に配することにより、冷却効率を向上することが出来る。
【産業上の利用可能性】
【００８５】
以上のように、本発明にかかる誘導加熱調理器は、印刷配線板を傾けることで配置効率と冷却効率を向上させることが可能となるので、同じように略直方体の形状からなる筐体で構成される情報機器等の用途にも適用できる。
【符号の説明】
【００８６】
１  本体
２  被加熱容器
３  トッププレート
４  加熱コイル
５  印刷配線板
６  冷却風
７  ファン
９  風路
１０  加熱庫
１１  扉
１２  ケース
１３  羽根
１４  モータ
１５  取り付け板
１８  発熱体
１９  熱伝導体
【図１】
2011165537.tif 000003
【図８】
2011165537.tif 000004
【図１１】
2011165537.tif 000005
【図１２】
2011165537.tif 000006
【図１３】
2011165537.tif 000007
【図１４】
2011165537.tif 000008
【図１５】
2011165537.tif 000009
【図２】
2011165537.tif 000010
【図３】
2011165537.tif 000011
【図４】
2011165537.tif 000012
【図５】
2011165537.tif 000013
【図６】
2011165537.tif 000014
【図７】
2011165537.tif 000015
【図９】
2011165537.tif 000016
【図１０】
2011165537.tif 000017